(57)【要約】【課題】  瞬時にキャンセルを達成して不用なデータ処理がなされないようにしたデータ処理装置及びプログラムを提供する。【解決手段】  受信部１１からなる受信手段により受信されたデータを記憶部１２からなる記憶手段に一旦記憶してデータを処理するデータ処理装置１０において、前記受信手段によるデータの受信をキャンセルすると同時に前記記憶手段に記憶されたデータを同時にキャンセルする設定ができる設定部１７から構成される設定手段を備える。【選択図】      図１
2006024989.tif 000002
【特許請求の範囲】
【請求項１】
受信手段により受信されたデータを一旦記憶する記憶手段と、前記受信手段によるデータの受信をキャンセルすると同時に前記記憶手段に記憶されたデータをキャンセルする指示を入力する操作手段と、操作手段の入力に基づいて前記データのキャンセル指示を設定する設定手段と、を備え
前記受信手段によるデータの受信をキャンセルすると同時に前記記憶手段に記憶されたデータをキャンセルする操作手段からの指示に基づいて設定手段に設定することを特徴とするデータ処理装置。
【請求項２】
前記データ処理装置は、更に、設定手段によりキャンセルが設定されたデータのログを保持し該ログを報知する報知手段を備え
前記報知手段により、キャンセルが設定されたデータのログを保持し該ログを報知するようになしたことを特徴とする請求項１に記載のデータ処理装置。
【請求項３】
前記データ処理装置は、更に、設定手段によりキャンセル状態に設定されたことを表示する表示手段を備え
前記表示手段に前記設定手段によりキャンセル状態に設定されたことを表示することを特徴とする請求項２に記載のデータ処理装置。
【請求項４】
前記設定手段は、キャンセルするデータ数を操作手段の入力に基づいて設定し、キャンセルすべきデータ数のデータをキャンセルした後に、該設定を解除することを特徴とする請求項１ないし３の何れか1項に記載のデータ処理装置。
【請求項５】
受信手段により受信されたデータを一旦記憶する記憶手段と、前記受信手段によるデータの受信をキャンセルすると同時に前記記憶手段に記憶されたデータをキャンセルする指示を入力する操作手段と、操作手段の入力に基づいて前記データのキャンセル指示を設定する設定手段と、を備え、前記記憶手段に記憶されたデータを処理するデータ処理装置を構成するコンピュータに、
前記操作手段の入力に基づいて、前記受信手段によるデータの受信をキャンセルすると同時に前記記憶手段に記憶されたデータをキャンセルする指示を設定する設定手段としての機能を実行させることを特徴とするプログラム。
【請求項６】
前記データ処理装置を構成するコンピュータに、
前記キャンセルが設定されたデータのログを保持し該ログを報知するログ報知手段としての機能を実行させることを特徴とする請求項５に記載のプログラム。
【請求項７】
前記操作手段の入力に基づいて前記データのキャンセル指示を設定する処理においては、キャンセルするデータ数を操作手段の入力に基づいて設定し、該キャンセルすべきデータ数をキャンセルした後に該設定を解除する処理を実行させることを特徴とする請求項５または６に記載のプログラム。
【発明の詳細な説明】
【技術分野】
【０００１】
本発明は、受信されたデータを処理するデータ処理装置及びプログラムに関し、特に受信されるデータをキャンセルするデータ処理装置及びプログラムに関する。
【背景技術】
【０００２】
従来、受信されるデータを適宜に拒否する機器としては、例えば、下記の特許文献１（特開平６−１０５１０８号公報）に開示された技術が提案されている。これは、自動着信機能を備えたファクシミリ装置において、送信優先として着信を拒否するものである。この従来技術は、ユーザが急いで情報を送信するために前処理を行なっている最中に、着信が検出されると直ちに受信状態に移行してしまうことを自動的に停止させるものである。そのために、ファクシミリ装置は、送信先電話番号の入力を検出する電話番号入力検出部を備え、オペレータが操作パネルから相手局の電話番号の入力を開始すると電話番号入力検出部がこれを検出して自動受信機能を停止し、送信優先モードを起動して以降の着信を全て拒否するようにしている。また、他の手段としては、スキャナの予定の個所に送信原稿が載置されたことを検出する原稿載置検出部を設けて、原稿の載置が検出されると自動的に送信優先モードが起動されるようにしたものである。
【０００３】
また、例えば、ネットワークに接続された被制御機器が制御データによって制御されることを制御機器のモードによって拒否するようにした技術が下記の特許文献２（特開２００２−４４０９５号公報）で提案されている。これは、例えば、ユーザがデジタルＴＶ（自機器）によってある放送チャンネルの番組を視聴している最中に、ネットワーク上の他機器から選局切替コマンドにより自機器の選局が突然別のチャンネルに切り替えられてしまうことがある。このようなことが起きると、ユーザに不快感を与えたり、ユーザにとってデジタルＴＶ（自機器）の使用感が悪くなる。そこで、この従来技術はネットワーク上の自機器が他機器からのコマンドで不用意に操作されないようにしたものである。
【０００４】
機器制御システムは、例えばＩＥＥＥ１３９４シリアルバスを介して他機器が接続されるＩＥＥＥ１３９４インターフェイスを搭載した自機器が、ＩＥＥＥ１３９４シリアルバスの使用方法（他機器からの制御を許可するか否か）を設定するように構成されている。ＩＥＥＥ１３９４シリアルバスの使用方法を設定する処理は、自機器の操作を他機器からの操作よりも優先する第1のユーザ設定と、他機器からの操作も受け付ける第2のユーザ設定とを含む。第1のユーザ設定及び第２のユーザ設定のいずれが設定されるかは、自機器のユーザが決定できる。第1のユーザ設定の場合に、自機器は、他機器からのコマンドを全て拒否した応答を返すように構成されている。
【０００５】
また、例えば、画像形成装置においてマルチジョブを一旦停止してから消去すべきジョブを選択する技術が下記の特許文献３（特開平９−１６３０８８号公報）に提案されている。所謂マルチジョブ複写機では、読取ジョブとプリントジョブとを別々に登録し、これらのジョブが同時に実行されている場合、各ジョブ毎に停止を行なう。この場合に操作パネルのキーを増加させないようにしたものである。そのために、画像形成装置は、原稿画像を読取る画像読取手段と、画像読取手段によって読取られた画像データを記憶する記憶手段と、記憶手段に記憶された画像データに基づいて画像形成を行なう画像形成手段と、画像読取手段と、画像形成手段とを平行して実行させる制御手段と、実行中のすべての動作を停止させる停止指示手段と、停止指示手段によって実行中の複数の動作が停止されたとき、複数のうちのいくつかの動作を選択する選択手段と、選択手段によって選択された動作にかかわる画像データを記憶手段から消去する消去手段とを備えたものである。
【０００６】
そして、画像読取手段と画像形成手段とが平行して動作しているときに停止指示手段により実行中のすべての動作が停止され、選択手段により停止された動作のうち所望の動作を選択し、消去手段により選択された動作にかかわる画像データが記憶手段から消去される。したがって、ユーザは停止指示手段の操作という１つの操作により画像読取手段と画像形成手段との動作を停止させ、その後選択手段により消去すべき画像データにかかわる動作を選択することができ、操作パネルのキーの数を増加することなく、シングルジョブ時の操作と違和感のないマルチジョブ時の操作を行なうことを可能としている。具体的には、操作パネル上にストップキーとクリアキーを設け、読取動作とプリント動作とを同時に実行中に、ストップキーにより2つの動作を停止させた後、１つのクリアキーによりデータの破棄を指令する。
【０００７】
また、上記特許文献３における従来技術を改良した画像形成装置が下記の特許文献4（特開２００３−３４８２７７号公報）によって提案されている。この特許文献４における従来の技術は、キャンセル時に一旦複数の実行ジョブを停止させてからキャンセルするジョブを選択するものである。そのため、ジョブをキャンセルするためには、キャンセルに関係のないジョブまでも一旦停止させなければならないという不都合があった。そこで、上記特許文献３における従来技術は、画像形成装置の制御部に表示切り換え手段としての処理動作切り換え部を備えたものである。この処理動作切り換え部は操作パネル上の表示部に表示するキーを画像形成装置の作動状態に応じて切り換えるようになっている。
【０００８】
【特許文献１】特開平６−１０５１０８号公報（段落〔０００２〕、段落〔０００６〕、段落〔００１８〕、段落〔００２３〕）
【特許文献２】特開２００２−４４０９５号公報（段落〔０００４〕、段落〔０００６〕、段落〔０００８〕〜段落〔００１０〕）
【特許文献３】特開平９−１６３０８８号公報（段落〔０００３〕、段落〔０００５〕、段落〔０００６〕、〔００１８〕、段落〔００７４〕）
【特許文献４】特開２００３−３４８２７７号公報（段落〔０００４〕、段落〔００４９〕、段落〔００６２〕〜段落〔００７６〕）
【発明の開示】
【発明が解決しようとする課題】
【０００９】
しかしながら、前述した従来技術は、ジョブ自体を確認することなく直ちにキャンセルすることができなかった。例えば、最近のデータ処理が高速化された画像形成装置において、原稿を読取ったデータを受信して印刷に供する場合、途中で印刷を中止しようとしても直ちに中止することができず実質的に大幅な印刷処理がなされてしまう。そのため、不用なデータ処理による印刷物が生じてしまうという問題があった。このような問題点は、ファクシミリ装置における途中で直ちに受信、送信を中止する場合にも同様な問題点があった。
【００１０】
そこで、本発明は、従来の問題点を排除し、瞬時にキャンセルを達成して不用なデータ処理がなされないようにしたデータ処理装置及びプログラムを提供することを目的とする。
【課題を解決するための手段】
【００１１】
前記課題を解決するために、本願の請求項１に係る発明のデータ処理装置は、受信手段により受信されたデータを一旦記憶する記憶手段と、前記受信手段によるデータの受信をキャンセルすると同時に前記記憶手段に記憶されたデータをキャンセルする指示を入力する操作手段と、操作手段の入力に基づいて前記データのキャンセル指示を設定する設定手段（例えば、設定部１７）と、を備え
前記受信手段によるデータの受信をキャンセルすると同時に前記記憶手段に記憶されたデータをキャンセルする操作手段からの指示に基づいて設定手段に設定することを特徴とする。
【００１２】
また、本願の請求項２に係る発明のデータ処理装置は、請求項１にかかるデータ処理装置は、更に、設定手段によりキャンセルが設定されたデータのログを保持し該ログを報知する報知手段を備え
前記報知手段により、キャンセルが設定されたデータのログを保持し該ログを報知することを特徴とする。
【００１３】
また、本願の請求項３に係る発明のデータ処理装置は、請求項２にかかるデータ処理装置は、更に、設定手段によりキャンセル状態に設定されたことを表示する表示手段を備え
前記表示手段に前記設定手段によりキャンセル状態に設定されたことを表示することを特徴とする。
【００１４】
また、本願の請求項４に係る発明は、請求項１ないし請求項３に記載のデータ処理装置において、前記設定手段は、キャンセルするデータ数を操作手段の入力に基づいて設定し、キャンセルすべきデータ数のデータをキャンセルした後に、該設定を解除することを特徴とする。
【００１５】
また、本願の請求項５に係る発明は、受信手段により受信されたデータを一旦記憶する記憶手段と、前記受信手段によるデータの受信をキャンセルすると同時に前記記憶手段に記憶されたデータをキャンセルする指示を入力する操作手段と、操作手段の入力に基づいて前記データのキャンセル指示を設定する設定手段（例えば、設定部１７）と、を備え、前記記憶手段に記憶されたデータを処理するデータ処理装置を構成するコンピュータに、
前記操作手段の入力に基づいて、前記受信手段によるデータの受信をキャンセルすると同時に前記記憶手段に記憶されたデータをキャンセルする指示を設定する設定手段としての機能を実行させることを特徴とするプログラムである。
【００１６】
また、本願の請求項６に係る発明は、請求項５にかかるプログラムは、更に、キャンセルが設定されたデータのログを保持し該ログを報知するログ報知手段としての機能を実行させることを特徴とするプログラムである。
【００１７】
また、本願の請求項７に係る発明は、前記請求項５または６に記載のプログラムにおいて、前記操作手段の入力に基づいて前記データのキャンセル指示を設定する処理においては、キャンセルするデータ数を操作手段の入力に基づいて設定し、該キャンセルすべきデータ数をキャンセルした後に、該設定を解除する処理を実行させることを特徴とする。
【発明の効果】
【００１８】
本願発明は上記の構成を備えることにより以下のような優れた効果を奏する。すなわち、本願の請求項１に係るデータ処理装置においては、前記設定手段により前記受信手段のデータの受信を停止して受信をキャンセルすることと、既に受信され前記記憶手段に記憶されたデータを消去してキャンセルすることを同時に行なうことができるので、データが処理される以前に瞬時に全面的にキャンセルされ、不用なデータ処理がなされることを防止できる効果を有する。
【００１９】
また、本願の請求項２に係る発明のデータ処理装置においては、前記設定手段により前記受信手段のデータの受信を停止して受信をキャンセルすることと、既に受信され前記記憶手段に記憶されたデータを消去してキャンセルすることを同時に行なうことができる。一方、前記報知手段によりキャンセルされたデータのログを保存し報知する。そのため、データが処理される以前に瞬時に全面的にデータのキャンセルがなされ、不用なデータ処理を行なうことを防止できるだけでなく、前記報知手段によりキャンセルされたデータ情報をログとして報知されるので、ユーザは的確にキャンセルされたデータ情報を把握できる効果を有する。
【００２０】
また、本願の請求項３に係る発明のデータ処理装置においては、前記設定手段により前記受信手段のデータの受信を停止して受信をキャンセルすることと、既に受信され前記記憶手段に記憶されたデータを消去してキャンセルすることを同時に行なうことができる。そして、表示手段によりキャンセルが設定されたことを表示するので、ユーザはキャンセルに設定されたことを正確に認知できる効果を有する。一方、前記報知手段によりキャンセルされたデータのログを保存し報知する。そのため、データが処理される以前に瞬時に全面的にデータのキャンセルがなされ、不用なデータ処理を行なうことを防止できるだけでなく、前記報知手段によりキャンセルされたデータ情報をログとして報知されるので、ユーザは的確にキャンセルされたデータ情報を把握できる効果を有する。
【００２１】
また、本願の請求項４に係る発明において、請求項1ないし請求項３におけるデータ処理装置は、前記設定手段により予めキャンセルすべきデータ数を設定することができ、キャンセルするデータ数に至った後には設定を解除して通常のデータ処理を行なうことになるので、任意にキャンセルすべきデータ数を設定できる効果を有する。
【００２２】
また、本願の請求項５に係る発明のプログラムにおいては、データ処理装置を構成するコンピュータに、操作手段の入力に基づいて、前記受信手段によるデータの受信をキャンセルすると同時に前記記憶手段に記憶されたデータをキャンセルする指示を設定する設定手段としての機能を実行させる。そして、このプログラムは、操作手段の入力に基づいて、前記受信手段によるデータの受信をキャンセルすると同時に前記記憶手段に記憶されたデータをキャンセルする指示を設定するステップを有するので、前記設定手段により前記受信手段のデータの受信を停止して受信をキャンセルすることと、既に受信され前記記憶手段に記憶されたデータを消去してキャンセルすることを同時に行なうことができるため、データが処理される以前に瞬時に全面的にキャンセルされ、不用なデータ処理がなされることを防止できる効果を有する。
【００２３】
また、本願の請求項６に係る発明のプログラムにおいては、請求項５におけるデータ処理装置を構成するコンピュータに、操作手段の入力に基づいて、前記受信手段によるデータの受信をキャンセルすると同時に前記記憶手段に記憶されたデータをキャンセルする指示を設定する設定手段としての機能を実行させ、キャンセルが設定されたデータのログを保持し該ログを報知するログ報知手段としての機能を実行させる。
【００２４】
そして、このプログラムは、操作手段の入力に基づいて、前記受信手段によるデータの受信をキャンセルすると同時に前記記憶手段に記憶されたデータをキャンセルする指示を設定するステップと、キャンセルが設定されたデータのログを保持し該ログを報知するステップとを有するので、設定手段により前記受信手段のデータの受信を停止して受信をキャンセルすることと、既に受信され前記記憶手段に記憶されたデータを消去してキャンセルすることを同時に行なうことができるので、データが処理される以前に瞬時に全面的にキャンセルされ、不用なデータ処理がなされることを防止できるだけでなく、前記報知手段によりキャンセルされたデータ情報をログとして報知されるので、ユーザは的確にキャンセルされたデータ情報を把握できる効果を有する。
【００２５】
また、本願の請求項７に係る発明において、請求項５または６におけるプログラムは、操作手段の入力に基づいて前記データのキャンセル指示を設定する処理において、キャンセルするデータ数を操作手段の入力に基づいて設定し、該キャンセルすべきデータ数をキャンセルした後に、該設定を解除する処理を実行させるステップからなり、前記設定手段により予めキャンセルすべきデータ数を設定することができ、キャンセルするデータ数に至った後には通常のデータ処理を行なうので、任意にキャンセルすべきデータ数を設定できる効果を有する。
【発明を実施するための最良の形態】
【００２６】
以下、本発明の具体例を実施例及び図面を用いて詳細に説明する。図１は、本発明の実施例１におけるデータ処理装置を画像形成装置に適用した場合を示すブロック図、図２は、図1における画像形成装置における操作部の操作パネルを示す説明図、図３は、本発明の実施例１における画像形成装置の動作を示すフローチャート、図４は、キャンセルされるデータのログ情報（履歴情報）を記憶し、報知部において、キャンセル処理が行われたことを報知する処理手順を示すフローチャートであり、（Ａ）は、図３のステップＳ８およびステップＳ９における処理のサブルーチン、（Ｂ）は、図３のステップＳ１０における処理のサブルーチンを示すフローチャートである。図５は、本発明の実施例２におけるデータ処理装置を携帯電話に適用した場合を示すブロック図である。図６は、本発明の実施例２における携帯電話の動作を示すフローチャートである。
【実施例１】
【００２７】
図１に示すように、データ処理装置１０は、データを受信する受信部１１と、データを一旦記憶する記憶部１２と、データを処理するデータ処理部１３と、操作部１４と、制御部１５と、報知部１６とからなる。そして、操作部１４は受信部１１によるデータの受信をキャンセルすると同時に記憶部１２に既に記憶されたデータを同時にキャンセルすることを設定する設定部１７を備えており、操作部１４から入力された指示（情報）に基づいて設定部１７に、受信部１１によるデータの受信をキャンセルすると同時に記憶部１２に既に記憶されたデータを同時にキャンセルするか否かが設定される。また、設定部１７は操作部１４から入力される指示に基づいて、全てのデータをキャンセルするだけでなくキャンセルしたいデータ数を設定することも可能とするものである。
【００２８】
制御部１５は設定部１７により設定されたキャンセルすべきデータ数をカウントし、キャンセルすべきデータ数が全てキャンセルされたことを検知して設定部１７のキャンセル設定を解除し、その後はデータ処理部１３でデータの処理がなされるように制御するものである。更に、報知部１６はキャンセルされたデータのログを保持し、このログを報知するようになっている。このログの報知は、具体的には後述する操作パネルの表示画面によってなされるようになっている。
【００２９】
図２において、上記データ処理装置１０を画像形成装置に適用した場合における操作部１４の操作パネル１４１を示す。操作パネル１４１は表示画面１４２と、表示用発光ダイオード１４３と、操作用キー面１４４とからなる。表示用発光ダイオード１４３はキャンセルの表示手段を形成するキャンセル表示用発光ダイード１４３ａを含む複数個の発光ダイオードからなる。操作用キー面１４４にはキャンセル用キー１４４ａ、スクロール用キー１４４ｂ、１４４ｃ、１４４ｄ、１４４ｅ、エンター用キー１４４ｆ等が配されている。
【００３０】
次に、上述した構成によるデータ処理装置１０を画像形成装置に適用した場合につき、図３、図４で示すフローチャートを参照してその動作を説明する。
【００３１】
原稿を読取ったデータは、通常の場合には受信部１１で受信され、記憶部１２で一旦記憶され、データ処理部１３において、例えば、印刷処理のためのデータ処理がなされる。ここで、ユーザがデータのキャンセルを行なう場合、通常キャンセルと常時キャンセルを選択できる。通常キャンセルを行うには、キャンセル用キーを押し表示パネルに表示されるデータを選択した後「ＥＮＴＥＲ」キーを押すことにより選択したデータをキャンセルできる。通常キャンセルを行うには、図２（Ａ）で示すように操作用キー面１４４のキャンセル用キー１４４ａを押すことにより表示パネルに通常キャンセルか常時キャンセルかを選択する表示がなされ、スクロールキーによっていずれかを選択でき、通常キャンセルを選択することによって上記の操作ができるように構成されている。
【００３２】
常時キャンセルが選択された場合には、スクロール用キー１４４ｂ〜１４４ｅを操作して図２（Ｂ）で示すように表示画面１４２に常時キャンセルの表示をさせ選択して行なう。常時キャンセルを選択した場合、（１）これから受信するデータの全キャンセル、（２）既に受信したデータの全キャンセル、（３）これから受信するデータの全キャンセルと既に受信したデータの全キャンセル、の３つのキャンセルモードが設定できる。この選択は、図２（Ｃ）に示すようにスクロール用キー１４４ｂ〜１４４ｅを操作して行うことができる。
【００３３】
図３は、以上のキャンセル処理を行う手順を示すフローチャートである。図３のステップＳ１で示すキャンセル操作を行う。この操作によってデータ処理装置１０は、ステップＳ２で示すように印刷処理を一時的に停止する。次に、ユーザは、ステップＳ３において通常キャンセルを選択するか、常時キャンセルを選択するか否かの操作を行う。通常キャンセルが選択された場合は、ステップＳ６おいてキャンセルするジョブの選択とキャンセルが実行される。また、ステップＳ３において、ユーザが全て常時キャンセルを選択しないで所望のデータ数を選択し、この選択されたデータ数だけをキャンセルする場合は、ステップＳ６で示すように操作パネル１４１の操作によって所望のデータ数を設定する。その結果、データ処理装置１０は、次のステップＳ５において設定されたデータ数のデータをステップＳ７でキャンセルする。
【００３４】
ステップＳ３で常時キャンセルを選択する場合には、図２（Ｃ）で示すように表示画面１４２に常時キャンセルの表示を行わせて常時キャンセルを選択し、ステップＳ４でスクロール用キー１４４ｂ〜１４４ｅを操作して、（１）これから受信するデータの全キャンセル、（２）既に受信したデータの全キャンセル、（３）これから受信するデータの全キャンセルと既に受信したデータの全キャンセル、の３つのキャンセルモードのいずれかをエンター用キー１４４ｆを押して選択する。
【００３５】
ステップＳ４でデフォルトの常時キャンセル（上記（３）のこれから受信するデータの全キャンセルと既に受信したデータの全キャンセル）が選択された場合には、キャンセル表示用発光ダイオード１４３ａが発光して常時キャンセルが設定されたことを表示する。そして、ステップＳ９で既に受信したデータの全キャンセルが行われ、ステップＳ１０でこれからの受信データも全てキャンセルされ、処理を終了する。スッテプＳ４で上記（２）の既に受信したデータの全キャンセルが選択された場合には、既に受信したデータの全キャンセルがステップＳ８で行われ、処理を終了する。また、ステップＳ４で上記（１）のこれから受信するデータの全キャンセルが選択された場合には、ステップＳ１０で、これからの受信データは全てキャンセルされ、処理を終了する。
【００３６】
また、ステップＳ９およびステップＳ１０のキャンセル処理においては、図４のサブルーチン処理手順によって、キャンセルされるデータのログ情報（履歴情報）を記憶し、報知部１６において、キャンセル処理が行われたことを報知することができる。すなわち、図４は、キャンセルされるデータのログ情報（履歴情報）を記憶し、報知部１６において、キャンセル処理が行われたことを報知する処理手順を示すフローチャートであり、（Ａ）は、図３のステップＳ８およびステップＳ９における処理のサブルーチン、（Ｂ）は、図３のステップＳ１０における処理のサブルーチンを示すフローチャートである。
【００３７】
既に受信したデータの全キャンセルの処理が行われる場合、図４（Ａ）において、先ず、ステップＳ４１において、受信履歴（ログ）を残すか否かが判断され、受信データの受信履歴を残さない設定であると判断された場合は、既に受信したデータをステップＳ４３で消去する。また、データの消去処理の後、報知部１６において消去処理が行われたことをユーザに報知して、処理を終了するようにできる。ステップＳ４１で、受信履歴を残す設定であると判断された場合には、ステップＳ４２で受信データの履歴を保存した上で、既に受信したデータの全てをステップＳ４３で消去する。この場合も前述と同様に、データの消去処理の後、報知部１６において消去処理が行われたことをユーザに報知して、処理を終了するようにできる。
【００３８】
これからの受信データを全消去する場合は、図４（Ｂ）において、先ず、ステップＳ４５でデータを受信する。そして、ステップＳ４６において、受信履歴（ログ）を残すか否かが判断され、受信データの受信履歴を残さない設定であると判断された場合は、既に受信したデータをステップＳ４８で消去する。また、データの消去処理の後、報知部１６において消去処理が行われたことをユーザに報知して、処理を終了するようにできる。ステップＳ４６で、受信履歴を残す設定であると判断された場合には、ステップＳ４４で受信データの履歴を保存した上で、受信したデータの全てをステップＳ４８で消去する。この場合も前述と同様に、データの消去処理の後、報知部１６において消去処理が行われたことをユーザに報知して、処理を終了するようにできる。
【００３９】
この場合、本発明の実施例１のデータ処理装置１０は、受信部１１により受信されたデータを記憶部１２に一旦記憶してデータ処理部１３でデータを処理するのであるが、受信部１１によるデータの受信をキャンセルすると同時に記憶部１２に記憶されたデータをキャンセルすることを設定する設定部１７を備えている。また、設定部１７によるキャンセル状態に設定されたことを表示するキャンセル表示用発光ダイオード１４３ａと、設定部１７によりキャンセルが設定されたデータのログを保持し該ログを報知する報知部１６を備える。
【００４０】
そのため、設定部１７により受信部１１のデータの受信を停止して受信をキャンセルすることと既に受信され記憶部１２に記憶されたデータを消去してキャンセルすることを同時に行なうことができる。そして、キャンセル表示用発光ダイオード１４３ａによりキャンセルが設定されたことを表示するので、ユーザはキャンセルに設定されたことを正確に認知できる。一方、報知部１６によりキャンセルされたデータのログを保存し報知する。そのため、データが処理される以前に瞬時に全面的にデータのキャンセルがなされ、不用なデータ処理を行なうことを防止できるだけでなく、報知部１６によりキャンセルされたデータ情報をログとして報知されるので、ユーザは的確にキャンセルされたデータ情報を把握できる。
【００４１】
データ処理装置１０は、プリンタ、複写機等に適用されるが、キャンセルが瞬時に実行できるので、不用に印刷出力を行なってしまうことがない。また、データ処理装置１０はファクシミリにおける受信側に適用した場合でも同様に不用に印刷出力を行なってしまうことがない。データ処理装置１０は、ファクシミリ装置における送信側に適用した場合にあっては、原稿を読取ったデータを受信してデータ処理を行ないファクシミリ信号として送信する機能を実行するが、これを瞬時にキャンセルできるので相手に送信したくないデータの送信を直ちに停止できる。
【実施例２】
【００４２】
図５に基づいて本発明を携帯電話に適用した実施例２について説明する。データ処理装置２０は、データの受信手段を形成する送受信部２１と、受信されたデータを音声信号にデータ処理して音声信号を発生させる送受話部２２と、留守録として受信されたデータを記憶する記憶部２３と、操作部２４と、制御部２５と、ディスプレイ２６と、受信されたデータ情報をログとして記録するログ記録部２７とからなる。操作部２４は常時キャンセル用操作釦とデータ情報をログとして記録することを設定するログ設定用操作釦とを備えている。そして、制御部２５は、操作部２４における常時キャンセル用操作釦が操作されると、送受信部２１において受信されたデータをキャンセルするように制御するものである。即ち、操作部２４、制御部２５でもってキャンセルのための設定手段が形成されている。また、ディスプレイ２６は、ログ記録部２７のログ情報が表示される報知手段を形成している。
【００４３】
次に、実施例2の動作について図６のフローチャートに基づいて説明する。ユーザは常時キャンセルとする場合には、ステップＳ１１で示すように操作部２４における常時キャンセル用操作釦を操作する。次のステップＳ１２において示すように、制御部２５は送受信部２１に着信があると、ステップＳ１３で示すようにユーザに対して呼び出し音、振動等による着信通知を行なわない。ステップＳ１４においてユーザがログ設定用操作釦の操作により受信情報を残すログ設定になっているか否かが判別される。ログ設定になっている場合には、ステップＳ１５で示すようにログを保存することによって着信履歴が保存される。
【００４４】
そして、次にステップＳ１６において制御部２５が電話回線の切断を行うことによってキャンセルを実行する。一方、ステップＳ１４において受信情報を残すログ設定になっていない場合には、そのままステップＳ１６において電話回線切断を行い、キャンセルを実行し、処理を終了する。
【００４５】
ユーザが常時キャンセルの操作をしない場合には、送受信部２１で受信された着信情報により制御部２４が着信の呼び出しを行い送受話部２２でもって通常の通話を行うようになる。
【００４６】
従って、本発明の実施例２のデータ処理装置２０は、操作部２４における常時キャンセル用操作釦が操作されると、制御部２５が送受信部２１において受信されたデータをキャンセルするように制御するものである。そして、ログ設定用操作釦の操作によりログ記録部２７が受信されたデータ情報をログとして記録し、これをディスプレイ２６において報知することができる。そのため、データが処理される以前に瞬時に全面的にデータのキャンセルがなされ、不用なデータ処理を行うことを防止できるだけでなく、ディスプレイ２６によりキャンセルされたデータ情報をログとして報知するので、ユーザは的確にキャンセルされたデータ情報を把握できる。
【００４７】
なお、上述した本発明の実施例１におけるデータ処理装置１０は、プリンタ、複写機、ファクシミリ装置等の画像形成装置に適用できるものである。そして、複数のユーザが共同でプリンタを使用する場合において、プリンタでキャンセルを行なうと不特定多数のユーザが送信したデータを受信側のプリンタでキャンセルしてしまうことになるが、そのデータは送信者のパーソナルコンピュータに保存されているのでログを見て必要に応じて再度送信すればよい。
【図面の簡単な説明】
【００４８】
【図１】本発明の実施例１におけるデータ処理装置を画像形成装置に適用した場合を示すブロック図である。
【図２】図1における画像形成装置における操作部の操作パネルを示す説明図である。
【図３】本発明の実施例１における画像形成装置の動作を示すフローチャートである。
【図４】キャンセルされるデータのログ情報（履歴情報）を記憶し、報知部において、キャンセル処理が行われたことを報知する処理手順を示すフローチャートであり、（Ａ）は、図３のステップＳ８およびステップＳ９における処理のサブルーチン、（Ｂ）は、図３のステップＳ１０における処理のサブルーチンを示すフローチャートである。図３における要部の動作を示すフローチャートである。
【図５】本発明の実施例２におけるデータ処理装置を携帯電話に適用した場合を示すブロック図である。
【図６】本発明の実施例２における携帯電話の動作を示すフローチャートである。
【符号の説明】
【００４９】
１０                データ処理装置
１１                受信部
１２                記憶部
１３                データ処理部
１４                操作部
１５                制御部
１６                報知部
１７                設定部
１４１              操作パネル
１４２              表示画面
１４３              表示用発光ダイオード
１４３ａ            キャンセル表示用発光ダイオード
１４４              操作用キー面
１４４ａ            キャンセル用キー
１４４ｂ〜１４４ｅ  スクロール用キー
１４４ｆ            エンター用キー
【図１】
2006024989.tif 000003
【図２】
2006024989.tif 000004
【図３】
2006024989.tif 000005
【図４】
2006024989.tif 000006
【図５】
2006024989.tif 000007
【図６】
2006024989.tif 000008